Podtech/llm-jp-corpus-v4-ja_patent huggingface dataset:
(57)【要約】【課題】子供が就寝時の腹部から下半身の保温性、通気性を保持しつつ、上半身の汗の蒸散を妨げないおねぞうさんを提供する。【解決手段】胸部まで覆うズボン（１）の表地腹部裏側（２）に腹当て布（３）を設け、ゴム通し口（４）をズボン頭側端に設け、適度に胸部に固定せしめたおねぞうさんを特徴とする。【選択図】図１
2005015987.tif 000002
【特許請求の範囲】
【請求項１】
「（イ）胸部まで覆うズボン（１）の表地腹部裏側（２）に腹当て布（３）を設ける。
（ロ）胸部まで覆うズボン（１）を肌掛け布地で作る。
（ハ）胸部まで覆うズボン（１）の頭側にゴム通し口（４）を設け、適度に胸部に固定せしめる。
以上の構成よりなるおねぞうさん。」
【発明の詳細な説明】
【０００１】
【発明の属する技術分野】
この発明は、胸部まで覆うズボン（１）を肌掛け布地で作り、表地腹部裏側（２）に腹当て布（３）をつけ、胸部まで覆うズボン（１）の頭側上端に、ゴム通し口（４）を位置させ、適度に胸部に固定せしめた。  おねぞうさんに関するものである。
【０００２】
【従来の技術】
従来、子供の入浴後や就寝時の体温低下を防ぐ為のスリッパーがあった。
【０００３】
【発明が解決しようとする課題】
これはつぎのような欠点があった。
入浴後や就寝直後での使用では、胸部全体を覆うものでは発汗が著しくなり、のちの、体温低下も来たしやすかった。また、体動の激しい子供では、襟元が頚部を圧排することがあった。スリッパーを用いなければ肌掛けから身体が露出してしまうことになった。それらにより、家族は気を遣い、十分な睡眠を得られないことがあった。
本発明は、以上のような欠点を欠くすためになされたものである。
【０００４】
【課題を解決するための手段】
（イ）胸部まで覆うズボン（１）を肌掛け布地で、寝間着ズボンタイプを作った。
（ロ）ズボンの頭側を胸部までのばした。
（ハ）胸部頭側端にゴム通し口（４）を設け、適度に胸部に固定せしめた。
（ニ）表地腹部裏側（２）に腹当て布（３）を設け、部分的に布地を厚めた。
本発明は、以上の構成よりなるおねぞうさんである。
【０００５】
【発明の実施の形態】
以下、本発明の実施の形態について説明する。
（イ）体動が激しく、肌掛けから出てしまう子供へは肌掛けそのもので寝間着を作ってしまえば良い。布地は薄めでも良い。
（ロ）汗の蒸散をスムースにするため、胸部全部覆うものではなく、上胸部〜肩部を露出させるため、ズボンの頭側を乳首までの高さあたりまでとする。
（ハ）胸部まで覆うズボン（１）の表地腹部裏側（２）に腹当て布（３）を縫合せ、腹巻きの機能を持たせた。
（ニ）上胸部に固定させるためのゴム通し口（４）はズボン頭側端に設け、適度に胸部に固定せしめた。
本発明は、以上のような構造でこれを使用するときは，肌掛けとズボンと腹巻きが一体となったものが着用できる。
【０００６】
【発明の効果】
腹巻き機能を持たせた肌掛け布地で作られた胸部まで覆うズボン（１）であるため、
（イ）体動が激しくても就寝中、体温低下を予防できる。
（ロ）上胸部〜肩部は露出しているため、汗の蒸散がスムースである。
（ハ）腹部の保温が行える。
（ニ）（イ）、（ロ）、（ハ）、に対し、子供の健康管理に役立つと同時に家族は安眠が期待できる。
【図面の簡単な説明】
【図１】本発明の裏返し図正面である。
【図２】本発明の表図である。
【図３】本発明の縫い方図▲１▼である。
【図４】本発明の縫い方図▲２▼である。
【符号の説明】
１  胸部まで覆うズボン
２  表地腹部裏側
３  腹当て布
４  ゴム通し口
【図１】
2005015987.tif 000003
【図２】
2005015987.tif 000004
【図３】
2005015987.tif 000005
【図４】
2005015987.tif 000006
(57)【要約】【課題】従来産業廃棄物であった皮革をケミフェルト製造方法により炭粉と混練りし、更に良質のリサイクル産業素材を製造する。炭粉と皮革破砕片を混練することにより皮本来の嫌な臭みを取り除き、しかも吸放湿性を持つ通気構造体を製造する。本発明は皮革と吸放湿性の優れた消臭性の高い炭粉を主成分とした柔軟性のある通気構造体を製造する事により、地球環境にやさしいリサイクルをつくりだし、快適な生活空間を作る産業用素材を製造する。【解決手段】ポリアミド短繊維とポリマーと皮革破砕片（０．５〜５ｍｍ）と炭粉を混練りし嵩高なシートを作成し、それを漉加工することにより更に消臭性の高いシートを製造する。【選択図】  なし【特許請求の範囲】
【請求項１】
ポリアミド短繊維とポリマーと皮革破砕片と炭粉を混練りして製造された消臭性通気体であることを特徴とする。
【発明の詳細な説明】
【０００１】
【発明の属する目的】
本発明は本来は産業廃棄物であった皮革破砕片をリサイクルし、消臭性、吸放湿性の優れた炭と皮革破砕片を主成分とした柔軟性、消臭性のある通気体を作り、産業用素材として再利用することを目的とする。
【０００２】
【従来の技術】
従来の皮革粒シートは柔軟性に欠けているのと、臭いが強い事により利用範囲が小さいので、素材として普及しがたい分野があった。
【０００３】
【発明が解決しようとする課題】
前記の欠点を改善し柔軟性、消臭性のある皮革破砕片シートの産業用素材を製造する。
【０００４】
【課題を解決するための手段】
本発明は下記二つの製造法を要旨とするものである。
（１）  ポリマー１００重量部に対しポリアミド短繊維を５０〜１００重量部添加して、ポリアミド繊維を混練り分散後に炭粉５〜３０重量部添加して、更に皮革破砕片５０〜１００重量部添加し、シート状に圧延する。
（２）  上記シートを０．５ｍｍ〜２０ｍｍの厚さに漉き加工する。
【０００５】
本発明を実施するに当たってポリマーは天然ゴム、及びスチレン・ブタジエンゴム、ポリイソプレンゴム、ポリブタジエンゴム、アクリロニトリルブタジエンゴム、クロロブレンゴム、熱可塑性樹脂及びゴム、等の合成ゴム、酢ビ含有量２５％以上のエチレン・酢酸ビニル共重合体が使用される。  ポリアミド短繊維は太さ３〜３０デニール、長さ５〜３０ｍｍを使用する。炭粉は炭化する物質を炭化させて、粉にすればすべて炭粉である。例えば木質系ではナラ炭、備長炭、桧炭、杉炭、松炭、竹炭、中国白炭、広葉樹炭、活性炭等。植物系では、籾炭、蕎麦殻炭、おから炭、麦穀炭等の多孔性の構造を有する炭。皮革破砕片は皮革加工産業によって排出された全ての皮革を破砕片状で（０．５〜５ｍｍ）使用する。
【０００６】
【作用】
ポリマーにポリアミド短繊維を混練りすることにより、剪断力が働いて、ポリアミド短繊維が分散されると共にポリマーの可塑度も低下する。かかる状態にあるとき炭粉、皮革粒、ポリマー薬品を添加混合したものを適宜シーテイングする。更に熱処理することにより熱感収縮がおこり、厚み方向に嵩高に膨れるとポリマーとポリアミド短繊維の間に適宜の空隙が生じる。このシートを漉き加工する。
【０００７】
【実施例】
エチレン・酢酸ビニル共重合体（酢酸ビニル含有料３２％）１００重量部、熱可塑性ゴム（ＳＢＳゴム）１５重量部、ポリアミド短繊維（太さ１０デニル、長さ２０ｍｍ）４０重量部、皮革破砕片（外径１〜３ｍｍ）１００重量部、炭粉（ナラ炭粉／赤松炭粉）２０重量部をオープンロール機により混練りして、７ｍｍの厚みにシーテイングした。このシートを熱風オープン（１３０℃）中に２０分間いれて、２．５倍に嵩高に膨らませて密度０．４ｇ／ｃｃのポリアミド短繊維・炭粉構造体、及びポリアミド短繊維・皮革・炭粉のシートを得た。このようにして得られたシートをそれぞれ通気性試験及び消臭性試験を行った。（表１）
【０００８】
【効果】
前記本発明の製法で得たシートは、皮革本来の嫌な臭いがなく、空気を浄化する素材となり、産業廃棄物による環境破壊を防ぐためのリサイクルに貢献する。（表１）
2005015978.tif 000002
(57)【要約】      （修正有）【課題】衣服の各場所に、マジックテープを付けることで、不自由な手腕を一時固定し、接着部品を使用することで、自立した日常生活を提供するものである。【解決手段】衣服の各場所に、マジックテープを取り付けることにより、不自由な手腕を一時固定する手腕支えポケットや、膝掛け、食事用エプロン、杖、帽子などを接着でき、手腕が不自由で身体が傾斜してしまうことを防止し、自然なスタイルで安全な、日常生活が可能となる。【選択図】図１
2005015980.tif 000002
【特許請求の範囲】
【請求項１】
不自由な手腕を一時固定し、膝掛けや、食事用エプロン、杖、帽子などを接着できる。
【請求項２】
第１項で上記の衣服に着脱可能な手腕支えポケット、手腕が外に出し入れできる。
【請求項３】
第１項で上記の衣服に着脱可能な手腕支えポケット、手腕が外に出ない。
【請求項４】
第１項で上記の衣服の胸の部分にマジックテープを付け、エプロンや帽子などの小物を接着できる。
【請求項５】
衣服の両サイド部分に丸ゴム紐を取り付け、杖や小物を一時留め置きできる。
【請求項６】
左右均等に使用できる衣服。
【発明の詳細な説明】
防寒衣、レジャー衣、介護衣類で着脱が簡単。機能性が高く安心して、日常生活ができる服。
【０００１】
【発明の属する技術分野】
本発明は、病気（脳卒中）や、ケガで片手の手腕が不自由で身体が傾斜してしまう場合、手腕を胸部から安定させて、危険を防ぎ自然なスタイルで安全な、日常生活できる衣服。
【０００２】
【従来の技術】
三角巾や紐で腕を吊る。
【０００３】
【発明が解決しようとする課題】
病気（脳卒中）や、ケガで片手の手腕が不自由な方が、三角巾や紐で、首から手腕を吊ることもある。このような方式では日常生活も危険で不安である。
【０００４】
【課題を解決する為の手段】
マジックテープを衣服と部品に接着する。
【０００５】
【発明の実施の形態】
衣服前身頃、腕カバー、エプロン、膝掛け、小物にマジックテープを接着する。
【０００６】
【実施例】
▲１▼、▲２▼に▲１３▼、▲１４▼を接着し、留め金の紐をしぼり調節し、食べこぼしを受けることができる。
【０００７】
▲５▼、▲６▼に▲１５▼を接着し、手腕を入れ保護できる。
【０００８】
▲５▼、▲６▼に▲１６▼、▲１７▼を接着し、手腕を入れ両手を保護できる。
【０００９】
▲７▼、▲８▼に▲９▼、▲１０▼を接着し、腰の冷えを防ぐことができる。
【００１０】
▲１１▼に▲１２▼を接着し、足の冷えを防ぐことができる。
【００１１】
▲１８▼は衣服を着ていない時、▲９▼・▲１４▼を接着できる。
【００１２】
【発明の効果】
図１に図２、図３の部位を接着することで、身体の活動を低下させず、自立した日常生活が可能となる。
【図面の簡単な説明】
【図１】本発明の実施形態を示す本体ベスト
【図２】接着部品＝膝掛け、エプロン
【図３】接着部品＝アームカバー（片手用Ｓ）、アームカバー（両手用Ｌ）、小物留め具
【符号の説明】
１〜１９はマジックテープ貼り付け部分
２０は丸ゴム紐
【図１】
2005015980.tif 000003
【図２】
2005015980.tif 000004
【図３】
2005015980.tif 000005
(57)【要約】【課題】ゴム組成物の金属との接着性能に悪影響を及ぼすことなく、ゴム組成物の加硫物性を改良する。【解決手段】硫黄加硫可能なゴム１００重量部、硫黄及び亜鉛（Ｚｎ）アセチルアセトナート０．０１〜０．３０重量部（但し亜鉛元素換算）を含むゴム組成物。【選択図】      なし【特許請求の範囲】
【請求項１】
硫黄加硫可能なゴム１００重量部、硫黄及び亜鉛（Ｚｎ）アセチルアセトナート０．０１〜０．３０重量部（但し亜鉛元素換算）を含むゴム組成物。
【請求項２】
前記ゴムが天然ゴム（ＮＲ）、ポリイソプレンゴム（ＩＲ）、スチレンブタジエン共重合体ゴム（ＳＢＲ）又はこれらの任意の混合物である請求項１に記載のゴム組成物。
【請求項３】
硫黄の配合量が、ゴム１００重量部当り、３〜１０重量部である請求項１又は２に記載のゴム組成物。
【発明の詳細な説明】
【０００１】
【発明の属する技術分野】
本発明はゴム組成物に関し、更に詳しくは、金属との接着性能に悪影響を及ぼすことなく、ゴム物性を改良したゴム組成物に関する。
【０００２】
【従来の技術】
硫黄加硫可能なゴムを主成分とするゴム組成物にコバルト（Ｃｏ）アセチルアセトナートを配合することによって、ゴムと金属との接着性（接着力）を良好にすることが知られている（例えば特許文献１及び２参照）。しかしながら、Ｃｏアセチルアセトナートをゴム組成物中に配合すると、接着性能は改良されるが、例えば弾性率（１００％モジュラス）を少し高くすると引張強さ（ＴＢ）及び切断時伸び（ＥＢ）が著しく低下するという問題があった。
【０００３】
【特許文献１】
特開昭５４−４７７７８号公報
【特許文献２】
特開昭５７−１６５４３１号公報
【０００４】
【発明が解決しようとする課題】
従って、本発明は前記従来技術の問題を克服して、金属との接着性能に実質的に悪影響を及ぼすことなく、ゴム物性を改良し、ゴム物性をバランス化させることのできるゴム組成物を提供することを目的とする。
【０００５】
【課題を解決するための手段】
本発明に従えば、硫黄加硫可能なゴム１００重量部、硫黄及び亜鉛（Ｚｎ）アセチルアセトナート０．０１〜０．３０重量部（但し亜鉛元素換算）を含むゴム組成物が提供される。
【０００６】
【発明の実施の形態】
本発明者らは硫黄加硫可能なゴム組成物にＣｏアセチルアセトナートを配合した場合の前記問題点を解決すべく研究をすすめた結果、Ｚｎアセチルアセトナートを用いることによって、接着性能に悪影響を及ぼすことなく、前記問題を解決してゴム組成物の加硫物性をバランスさせることに成功し、前記課題を解決するに至った。
【０００７】
本発明のゴム組成物において使用されるゴム成分としては、硫黄で加硫可能な任意のゴムとすることができ、具体的には天然ゴム（ＮＲ）、各種ポリイソプレンゴム（ＩＲ）、各種スチレン−ブタジエン共重合体ゴム（ＳＢＲ）、各種ポリブタジエンゴム（ＢＲ）などをあげることができる。
【０００８】
本発明に従えば、弾性率の若干の増加によって引張強さ（ＴＢ）や切断時伸び（ＥＢ）が著しく低下することのないように、ゴム組成物中は添加剤として亜鉛（Ｚｎ）アセチルアセトナートを配合する。このＺｎアセチルアセトナートの配合量はゴム１００重量部に対し亜鉛元素換算で０．０１〜０．３０重量部、好ましくは０．０５〜０．２５重量部である。この配合量が少な過ぎると所望の改良効果が得られず、逆に多過ぎると切断時伸びが低下してしまうので好ましくない。
【０００９】
本発明で用いるＺｎアセチルアセトナートは市販されている物質（例えば日本化学産業（株）製ナーセム亜鉛）であり、本発明においてはかかる市販品を使用することができる。
【００１０】
本発明の組成物に配合する硫黄は従来からゴム用加硫剤として一般に使用されているものを含めて任意の硫黄を使用することができ、その配合量には特に限定はないが、ゴム１００重量部に対し３〜１０重量部配合して使用するのが好ましい。
【００１１】
本発明に係るゴム組成物には、前記した必須成分に加えて、カーボンブラック、シリカなどの充填剤、加硫促進剤、シランカップリング剤、各種オイル、老化防止剤、補強剤、充填剤、可塑剤、軟化剤などのタイヤ用、その他一般ゴム用に一般的に配合されている各種添加剤を配合することができ、かかる添加剤は一般的な方法で前記したゴムなどの必須成分に混練、配合して組成物とし、組成物を加硫するのに使用することができる。これらの添加剤の配合量も本発明の目的に反しない限り、従来の一般的な配合量とすることができる。
【００１２】
本発明に係るゴム組成物は、例えばタイヤ、ケーブル被覆剤、ホース、トランスミッションベルト、コンベアベルトおよび防振ゴムなどの構成部品として使用でき、特にタイヤ用（例えばベルトコートゴム、カーカスコートゴム、ビードコートゴム用）として好適に使用することができる。
【００１３】
【実施例】
以下、実施例によって本発明を更に説明するが、本発明の範囲をこれらの実施例に限定するものでないことはいうまでもない。
【００１４】
実施例１及び比較例１〜２
１．７リットルの密閉式バンバリーミキサーを用いて以下に示す配合のうち、硫黄及び加硫促進剤を除く成分を５分間混合し、次にオープンロールにて、これに硫黄及び加硫促進剤を８０℃×５分間混合混練して調製した。これらのゴム組成物を１５０℃で３０分間プレス加硫（金型：１５×１５×０．２ｃｍ）して目的とする試験片を調製し、引張試験を行い、その物性を測定した。
【００１５】
2005015588.tif 000002
【００１６】
＊１：ＲＳＳ＃３
＊２：東海カーボン社製シースト３００
＊３：ＦＬＥＸＳＹＳ社製サントフレックス６ＰＰＤ
＊４：昭和シェル社製エクストラクト４号Ｓ
＊５：大内新興化学工業社製ノクセラーＤＺ−Ｇ
＊６：アクゾノーベル社製クリステックスＨＳＯＴ２０
【００１７】
物性評価
上で得たゴム組成物の物性は以下の試験方法で評価し、結果は表Ｉに示した。
Ｍ１００  （１００％モジュラス）：ＪＩＳ  Ｋ６２５１加硫ゴムの引張試験法に定められる試験法により測定した。結果は比較例１の値を１００として指数表示した。この数値が大きい程、モジュラスが高い。
ＴＢ（引張強さ）：ＪＩＳ  Ｋ６２５１加硫ゴムの引張試験法に定められる試験法により測定した。結果は比較例１の値を１００として指数表示した。この数値が大きい程、引張強さが高い。
ＥＢ（切断時伸び）：ＪＩＳ  Ｋ６２５１加硫ゴムの引張試験法に定められる試験法により測定した。結果は比較例１の値を１００として指数表示した。この数値が大きい程、切断時伸びが大きい。
【００１８】
ＡＳＴＭ接着試験：加硫前のゴム組成物を真鍮メッキされたスチールコードと接触させて加硫した時の接着性について、ＡＳＴＭＤ２２２９に記載の引抜き試験法に準拠し、１５０℃で３０分間プレス加硫した後、引抜き後のスチールコードに付着したゴム被覆率を評価した。結果は比較例１の値を１００として指数表示した。この数値が大きい程、接着性が良いことを示す。
【００１９】
【表１】
2005015588.tif 000003
【００２０】
【発明の効果】
以上の通り、本発明に従ってゴム組成物中にＺｎアセチルアセトナートを配合することによって、金属との接着性能に実質的に悪影響を及ぼすことなく、モジュラス（Ｍ１００  ）及び引張強さ（ＴＢ）などのゴム物性を改良することができる。
(57)【要約】【課題】合成樹脂練り込み用のダニ増殖抑制剤を提供する。【解決手段】本発明のリン酸鉄は、ダニに対して強い忌避効果があり、合成樹脂添加時の温度にも充分耐える温度特性を持っている。リン酸鉄を使用した樹脂組成物は、長期間効果を持続する安全性の高い防虫樹脂組成物となる。【特許請求の範囲】
【請求項１】
リン酸鉄を有効成分として含有されることを特徴とする熱可塑性樹脂からなる防虫樹脂組成物。
【発明の詳細な説明】
【０００１】
【産業上の利用分野】
本発明は、熱可塑性樹脂にリン酸鉄を配合し、その効力を長期間持続させ、ダニの増殖抑制に用いる為の樹脂組成物である。詳しくはシート状にして家庭用防虫シート、不織布にしてカーペット基布、繊維状にしてカーペットのパイルや綿等に使用される防虫樹脂組成物に関する。
【０００２】
【従来の技術】
近年、環境の変化により種々の害虫の生息についても変化してきた。住環境では家屋の気密化、暖房の効果によりダニの発生要因が多くなっている。住環境でのダニ防除方法としては、エアゾール，くん煙剤等の薬剤の散布法が取られているが、効果の持続性、ハウスシック等の人体への影響が懸念されている。またダニ防除シートも開発されているが、使用されている薬剤には効果の持続性についてまだ改良の余地がある。カーペットのパイルや寝具用の綿にも防虫剤が処理され市販されているが、効果の持続性や薬剤に対するアレルギー等の問題が懸念される。
【０００３】
【発明が解決しようとする課題】
本発明者らは、上記の問題点を解決するため、薬剤の持続性を考慮し熱可塑性樹脂への練り込みを加工方法として、その目的にあった薬剤のスクリーニングを行った。
【０００４】
【課題を解決するための手段】
本発明のリン酸鉄は化学式ＦｅＰＯ４で示されるリン酸第二鉄，化学式Ｆｅ３（ＰＯ４）２で示されるリン酸第一鉄である。リン酸第二鉄の二水塩はバラ色の水不溶の結晶であり、四水塩になると黄白色の粉末となり水に約１％溶解する。リン酸第一鉄の一水塩は暗緑色の結晶であり、六水塩になると白色になる。
【０００５】
本発明のリン酸鉄の熱可塑性樹脂への添加量は、０．０５〜５重量％、好ましくは０．２〜２重量％である。
【０００６】
本発明の防虫樹脂組成物には、必要により他の添加剤，酸化防止剤、紫外線吸収剤、滑剤、難燃剤等を配合することができる。
【０００７】
以下、実施例により詳細説明する。しかし、本発明はこれらの実施例に限定されるものではない。
【０００８】
【実施例１】ＰＰ樹脂にリン酸鉄を添加，練り込んだ後、プレートを作成した。
2005015452.tif 000002
【０００９】
防ダニ試験：増殖抑制試験
直径４ｃｍ、高さ０．６ｃｍのプラスチックシャーレに直径４ｃｍに切り抜いた試料を敷き込み、表面に生存ダニ２５０匹を含む培地０．２ｇを一様に広げる。このようにした試料を各処理区ごとに飽和食塩水を入れて湿度を７５％に保った食品保存用のプラスチック容器（１３×２７×８ｃｍ）に格納し、温度２５±１℃の恒温器中で飼育する。同様に未加工品を対照区として飼育し、２，４週間後に試料中の生存ダニ数を全数調査し、対照区の生存ダニ数との比較により、増殖抑制率を下記式より算出する。その結果を表１に示す。
増殖抑制率＝〔（対照区のダニ数−処理区のダニ数）／対照区のダニ数］×１００
供試虫  ヤケヒョウヒダニ（Ｄｅｒｍａｔｏｐｈａｇｏｉｄｅｓ  ｐｔｅｒｏｎｙｓｓｉｎｕｓ）
【００１０】
【表１】
2005015452.tif 000003
【００１１】
【実施例２】ナイロン樹脂にリン酸鉄を添加，練り込んだ後、プレートを作成した。
2005015452.tif 000004
尚リン酸鉄は、添加前に１５０℃で約３時間乾燥した。効力評価は
【００１０】の増殖抑制試験で行った。その結果を表２に示す。
【００１２】
【表２】
2005015452.tif 000005
【００１３】
【発明の効果】
樹脂練り込み用のダニ増殖抑制剤としてリン酸鉄は、充分な効果を発揮する。また主剤は無機化合物である為、加工においても異臭，発煙等の加工適性不良はみられない。
(57)【要約】【課題】一般的に育毛剤は頭皮及び毛根に刺激又栄養素を与えることによって改善を図るという程度のものであり、体全体の血液循環の改善を合わせてしない為、毛細血管の血流の改善が出来ず効果を最大限に引き出すことが出来にくい育毛剤が市販されており、又入浴剤は有名温泉成分を取り入れたもので、熱効率を高め温泉気分に浸かるものや、合成香料、合成着色料、蛍光染料等が使用されているものがあり、一部の皮膚病患者には使用できないものが市販されている。【解決手段】玉石鉱石を微粉末に加工することで、その粒子の表面積を広めることになり浴槽のお湯に混ぜて使用する事を可能し使用者が簡単に玉石鉱石の持つ効能を効果的に全身に使用する事が可能になり、安心且つ満足して活用できるようになった。【特許請求の範囲】
【請求項１】
玉石鉱石（ＮＥＰＨＲＩＴＥ、ＪＡＤＥ）を微粉末に加工し入浴剤として使用する事を特徴とする頭髪用育毛入浴剤
【発明の詳細な説明】
【０００１】
【発明の属する技術分野】
本発明は玉石鉱石（ＮＥＰＨＲＩＴＥ、ＪＡＤＥ）を微粉末に加工することにより、浴用育毛入浴剤として使用する事が出来るようになり、玉石を微粉末に事によりその粒子の表面積を広め、別紙成分表１に記載されている成分Ｃａ，Ｓｉ，Ｍｇ，Ｆｅ，Ｏ，Ａｌ，Ｐ，Ｍｎ，Ｋ，Ｎａ，Ｃｒ，Ｃｌ，Ｃｕ，Ｆを効率よく全身に触れさせると共に、別紙図１遠赤外線放射強度、図２遠赤外線放射率に表記されているグラフが示すように浴槽内のお湯の温度が上昇すると共に玉石鉱石の持つ遠赤外線放射率が高まり結果、玉石の構成成分と玉石の遠赤外線放射率が複合的に全身に作用し血液の循環、新陳代謝の促進、老廃物の除去が進み、入浴をして全身の血行を良くする事により育毛を促進するという育毛入浴剤です。
【０００２】
【従来の技術】
一般に従来の育毛剤は頭部に液体を散布するものやスプレー式のものが主であり、又市販されている入浴剤は温泉効果を付与する手段として科学的に合成した合成香料、合成着色料、蛍光染料等に漢方の生薬を混ぜたものか、有名温泉成分を取り入れ、有名温泉気分に浸かる程度のものである。
【０００３】
【発明が解決しようとする課題】
しかしながら、従来の育毛剤は毛細血管の血流の改善、全身の新陳代謝を合わせて促進することの改善が出来ない為、毛根を塞いでいる頭皮の角質、老廃物が除去できないままに使用する為、その効果を引き出すことが課題である。
【０００４】
【課題を解決するための手段】
玉石は湿度変化により表面に電荷が生じ遠赤外線を別紙図１遠赤外線放射強度，図２遠赤外線放射率に示すとおり発生させる事が分かっており、それが人体の深層から細胞を暖め血行を良くしマイナスイオンによる静電磁界を発生させ、界面活性効果の働きで体液を弱アルカリ性に調整し、新陳代謝を活発にして細胞を活性化させる働きがある。さらに１０００メッシュ以上の微粉末に玉石を加工することにより、玉石粒子の表面積を広めた事と入浴剤として浴槽のお湯に混入させて玉石の構成成分をお湯に浸透させ全身に効果的に作用させることが出来る。
【０００５】
【発明の実施の形態】
以下発明の実施形態に付いて説明をする。
【０００６】
玉石鉱石はＮＥＰＨＲＩＴＥ、ＪＡＤＥ等の名称で称され、原石はアメリカ、オストラリア、カナダ、スペイン、大韓民国、中華人民共和国、朝鮮民主主義人民共和国、ニュージランド、モンゴル共和国等で採石されるいずれかの鉱石を用いてもその効果は得られる。
【０００７】
本実施形態における育毛入浴剤は玉石をより細かく微粉末にすることにより、その玉石の持つ効能、効果を有効に活用する事を見出し、玉石を１０００メッシュ以上の微粒子に粉砕加工をする事によって得られる効果を活用する事を特徴とする。
【０００８】
この微粉末になった玉石の粒子を形成する成分Ｃａ，Ｓｉ，Ｍｇ，Ｆｅ，Ｏ，Ａｌ，Ｐ，Ｍｎ，Ｋ，Ｎａ，Ｃｒ，Ｃｌ，Ｃｕ，Ｆの有用成分を浴槽のお湯に混入させて使用する事で溶出しやすくする。
【０００９】
よって浴槽内のお湯の温度２０〜４０℃前後の水温においても玉石の持つ遠赤外線の放射率が高まり、玉石の構成成分が溶け出す事により浴槽内のお湯のＰＨを変化させ全身にその効能を効果的に活用する事ができる。
【００１０】
【実施例】
本発明による育毛入浴剤の使用により、本発明者は１／３の頭髪が無い場合ではあるが一日に１ｇ程度の微粉末を１８０Ｌの浴槽のお湯に混入させ、２０日間入浴をし全身に使用することにより洗髪時に抜け落ちていた髪の毛が著しく抜け無くなり、同時に約３０％ほどの発毛が確認され、４ヶ月の使用で約７０％の発毛結果を記録した。
【００１１】
【実施効果】
本発明による育毛入浴剤は玉石鉱石の持つ成分を有用に活用し、玉石の持つ遠赤外線放射効果及び界面活性効果による全身の新陳代謝を活発にして細胞を活性させることにより、血液の流れを改善し育毛効果を見出すことができる。
【００１２】
【他の実施形態】
入浴後、一般化粧品の基材に使用されている例：水、珪酸塩ポリサッカライド、グリコール、有機酸、グリセリン、ハッカ油、アルコール等の粘性状の材料と微粉末化した玉石を５％以上の範囲で混ぜ直接頭皮及び皮膚に使用する事が出来る。
【００１３】
【発明の効果】
本発明は上記の実施形態に記述したように脱毛抑制、育毛促進、血液循環に玉石鉱石を粉砕、微粉末に加工することにより、玉石鉱石の持つ効能を効率よく利用することが出来る。これにより使用者が安心且つ満足して使用できる育毛入浴剤を提供することが可能となる。入浴時に浴槽のお湯に育毛入浴剤を混入させて使用する事によって皮膚、頭皮に付着している汚れなどを殺菌、除去しながら効果的に皮膚の新陳代謝を促進する為、皮膚、頭皮、毛根が極めて清潔且つ良好な状態を得ることが出来る。又入浴時に全身に有効に成分が作用する為、血行障害などの改善ができ美白、打ち身、捻挫、五臓機能、心肺機能等に効果がある。
【図面の簡単な説明】
【成分表１】玉石を構成する成分を示す。
【図１】図１は玉石の遠赤外線放射強度を示す。
【図２】図２は玉石の遠赤外線放射率を示す。この遠赤外線放射率の測定の結果、玉石鉱石は平均的に高い遠赤外線放射率を持っている事が確認された。
2005015455.tif 000002
【図１】
2005015455.tif 000003
【図２】
2005015455.tif 000004
(57)【要約】【課題】ナメクジ誘引剤およびナメクジ駆除剤を提供すること。【解決手段】麦芽、ホップおよび水を主原料として発酵させた醸造酒（たとえばビール、発泡酒）を加熱処理（たとえば煮沸処理）してなる液体を有効成分とするナメクジ誘引剤およびナメクジ駆除剤は、安価で、変質、腐敗、異臭などの問題を生じ難く保存安定性に優れており、該ナメクジ誘引剤および該ナメクジ駆除剤を、ナメクジ捕殺具およびナメクジ捕獲具等に入れて、ナメクジの発生地域に放置することにより、たとえば野菜、果実、花卉類へのナメクジによる食害を防ぐことができる。【選択図】  なし【特許請求の範囲】
【請求項１】
麦芽、ホップおよび水を主原料として発酵させた醸造酒を加熱処理してなる液体を有効成分とするナメクジ誘引剤。
【請求項２】
加熱処理が煮沸処理である請求項１記載のナメクジ誘引剤。
【請求項３】
麦芽、ホップおよび水を主原料として発酵させた醸造酒を加熱処理してなる液体を有効成分とするナメクジ駆除剤。
【請求項４】
加熱処理が煮沸処理である請求項３記載のナメクジ駆除剤。
【発明の詳細な説明】
【０００１】
【発明の属する技術分野】
本発明はナメクジ誘引剤およびナメクジ駆除剤に関する。
【０００２】
【従来の技術】
ナメクジは野菜、果物、花卉類を食害する害虫であり、手軽な駆除法として、ビールを用いてナメクジを捕殺する方法が従来から知られている（例えば、特許文献１および２参照。）。
【０００３】
【特許文献１】
特開平９−９８７０３号公報
【０００４】
【特許文献２】
特開２０００−３１６４４９号公報
【０００５】
【発明が解決しようとする課題】
しかしながら、ビールは本来、人間の嗜好品として酒税法の規制の下に、市場に供されていることから、比較的高価であり、これをナメクジ誘引剤およびナメクジ駆除剤として用いることは不適である。
一方、飲み残しのビールをナメクジ捕殺に供することは、各家庭レベルでは可能であるものの、これを収集して商品としてのナメクジ誘引剤やナメクジ駆除剤として市場に供することは困難である。また、比較的多量の飲み残しビールが発生する特定の飲食店から、これを収集することは可能であるとしても、これをナメクジ誘引剤やナメクジ駆除剤として市場に供するに際しては、流通および保管中に、酸敗などの変質、腐敗、異臭の発生などの問題が生じ、実質上、商品とはなり得ない。
【０００６】
【課題を解決するための手段】
このような状況の下で、安価で、変質、腐敗、異臭などの問題を生じ難いナメクジ誘引剤およびナメクジ駆除剤を提供すべく鋭意検討の結果、意外にも、所謂、ビールや発泡酒などを加熱処理した後、これをナメクジ誘引剤やナメクジ駆除剤として用いても、その誘引や駆除効力は低下することなく、また、保存安定性も著しく増大することを見出し、本発明に至った。
すなわち、本発明は、麦芽、ホップおよび水を主原料として発酵させた醸造酒を加熱処理してなる液体を有効成分とするナメクジ誘引剤およびナメクジ駆除剤を提供するものである。
【０００７】
【発明の実施の形態】
本発明において、麦芽、ホップおよび水を主原料として発酵させた醸造酒としては、所謂、ビールや発泡酒の加熱処理物が使用できる。
ところで、ビールや発泡酒は、工場で大量に製造された後、市場に供されているが、賞味期限の切れたもの、変質、腐敗などが生じたものは、当該製品の製造工場に戻し入れられ、もはや飲用には供することができないように不可飲化処理された後、廃棄されることになるが、廃棄に際しては、排水基準に合致させるべく処理することが必要となり、製造工場においてその負担が大きいものとなっている。
【０００８】
本発明のナメクジ誘引剤およびナメクジ駆除剤においては、このような工場に戻し入れられ、不可飲化処理されたビールや発泡酒を用いることができることから、廃棄物の有効利用を図ることができるとともに、排水処理の負担の軽減にも繋がるものである。
また、このような工場に戻し入れられ不可飲化処理されたビールや発泡酒は、その量に応じ、工場からの移出に伴い一旦納入された酒税が還付されることから、極めて廉価なものとなり、原料ソースとしても極めて有利となる。
【０００９】
本発明のナメクジ誘引剤およびナメクジ駆除剤において、加熱処理としては、６０℃〜煮沸温度での加熱処理が例示されるが、短時間での煮沸処理により容易にその目的が達せられる。
このようにして加熱処理された後、これを高温時に密閉容器に充填することのより、長期間に亘り変質、腐敗、異臭の発生などの問題の無い保存安定性に優れた本発明のナメクジ誘引剤および駆除剤が得られる。
【００１０】
本発明のナメクジ誘引剤は、例えば特開平９−９８７０３号公報に記載のナメクジ捕殺器などの公知のナメクジ捕殺具におけるナメクジ誘引剤として、毒餌と共に用いることができる。
【００１１】
また、ナメクジ駆除剤は、これをそのままカップ状容器に入れて、ナメクジの発生地域に放置することにより、ナメクジを捕殺することもできるが、例えば前記の特開２０００−３１６４４９号公報及びＧＢ２３４６５３６−Ａに記載のナメクジ退治器のような公知のナメクジ捕獲器に入れてナメクジの捕殺に用いることもできる。
【００１２】
【実施例】
以下に、実施例で本発明を説明する。
【００１３】
実施例１
３５０ｍｌの市販の発泡酒を容器に移し、発泡を抑えながら加熱し、２分間煮沸後室温に戻し、本発明のナメクジ駆除剤（以下、本発明駆除剤と示す。）を調整した。次いで、本発明駆除剤をナメクジ捕獲器〔ＳＬＵＧ−Ｘ（ウエストフィールド  プロダクツ（ＷＥＳＴＦＩＥＬＤ  ＰＲＯＤＵＣＴＳ）社製）：直径８．５ｃｍ、深さ３ｃｍの円形池部１ヶ、半円形池部２ヶおよびナメクジ進入口４ヶを有する樹脂容器（１５ｃｍ×２６ｃｍ）、蓋つき。図１参照。〕の円形池及び半円形池部に移し、芝生の上に置いた。対照として、市販の発泡酒をそのまま同一型のナメクジ捕獲器の円形池部及び半円形池部に移し、芝生の上に置いた。所定日数経過後、各々の容器におけるナメクジの死亡頭数を調査した。その結果を表１に示す。
【００１４】
【表１】
2005015385.tif 000002
【００１５】
【発明の効果】
麦芽、ホップおよび水を主原料として発酵させた醸造酒を加熱処理してなる液体は、ナメクジ誘引剤およびナメクジ駆除剤の有効成分として有用である。
【図面の簡単な説明】
【図１】実施例１で用いたナメクジ捕獲器の概要を示す透視斜視図である。
【符号の説明】
１・・・ナメクジ捕獲器本体
２ａ・・・円形池部
２ｂ・・・半円形池部
３ａ，３ｂ，３ｃ，３ｄ・・・ナメクジ進入口
４・・・蓋部
【図１】
2005015385.tif 000003
(57)【要約】【目的】ゴミ袋の着脱、口の開閉、内容物の確認、ゴミが入った状態での移動が簡単に行えると共に、未使用時の保管、移送が便利な簡便ゴミスタンドを提供することを目的とする。【構成】中心線上でニ分割し、袋の口を狭持する複数のクリップを周設した左右対称の枠を重合できるように軸で蝶着し、片方の枠を、遊挿して連接できる三辺で構成する梯形の枠とを任意の数の柱で連結し、梯形の枠に、枠を移動させることができるキャスターと、袋受けを設けたことを特徴とする簡便ゴミ袋スタンドである。【選択図】        図２
2005015153.tif 000002
【特許請求の範囲】
【請求項１】
中心線上でニ分割し、袋の口を狭持する複数のクリップを周設した左右対称の枠を重合できるように軸で蝶着し、片方の枠を、遊挿して連接できる三辺で構成する梯形の枠とを任意の数の柱で連結し、梯形の枠に、枠を移動させることができるキャスターと、袋受けを設けたことを特徴とする簡便ゴミ袋スタンド。
【発明の詳細な説明】
【０００１】
【産業上の利用分野】
本発明は、ゴミ袋が簡単、便利、有効に使用と活用ができるゴミ袋スタンドに関する。
【０００２】
【従来の技術】
一般にゴミ入れは、外側から見えない容器形で、家庭、商店、工場等いろんな場所に置かれているが、ほとんどゴミ袋を中に入れて使用している。従って、収容量がゴミ入れに限定され、内容物も上からしか確認できず、特に蓋、投入口付近の物はまったく中がわからないし、袋は引き上げて取り出している。又、各種イベント会場等の簡易ゴミ入れは、段ボール箱にゴミ袋を入れての使用が多く、終了後の大量ゴミ処理には多大な労力と時間を要し、段ボール箱も一緒に処分される場合がほとんどである。
【０００３】
【発明が解決しようとする課題】
本発明は、このような課題を解決するものであり、要するに、ゴミ袋の着脱、開閉、有効活用、内容物確認、移動、未使用時の保管、移送が容易に行える簡便ゴミスタンドを提供するものである。
【０００４】
【課題を解決するための手段】
以上の課題の下、本発明は、要するに、ゴミ袋周囲を、二分割し軸で蝶着した枠の内側から外側にかぶせて、枠周辺に懸吊したクリップで袋の口を開いた状態で装着、取り外しを行う。又、袋の口の開閉は枠を重合しておいての持上げ下げで行い、キャスター使用で容易に移動でき、未使用時には重ねられる簡便ゴミ袋スタンドを提供したものである。
【０００５】
以上の手段をとることにより、ゴミ袋の口は、左右の枠にクリップで狭持される為、下部は開放状態となるので有効にゴミ入れとして使用できる。枠を重合すれば袋の口は閉じ開閉が簡単で、ゴミが入ったままで所定の場所に移動することができる。ゴミ袋の取り外しはクリップを外し、前に引き出すので上に持上げる必要はない。又、各種イベントでは、繰り返して使用でき、未使用時には重ねておけるので管理、保管、移送が便利である。
【０００６】
【実施例】
以下、本発明の実施例を図面を参照して説明する。図１は本発明の簡便ゴミ袋スタンドの枠を開いた状態の平面図、図２は正面図である。左枠１、右枠２を軸３で蝶着し、ゴミ袋１２の口を左枠１、右枠２の内側から外側にかぶせ左枠１、右枠２の周辺に鎖５で懸吊したクリップ４で左枠１、右枠２の下側に狭持して装着する。右枠２は支柱７により台車枠８に補強枠９を介して結合し、台車枠８は片側が遊挿して他の台車枠８に連接する三辺で構成する梯形で、袋受け１０と下部には台車枠８を移動させることができるキャスター１１を取り付ける。尚、キャスター１１は安全面より少なくとも１個はブレーキ付とするのが好ましい。尚、移動の必要が無い場合にはキャスター１１は取り付けない。図３は袋の口を閉じた状態の平面図、図４は正面図である。左枠１にある取っ手６を持ち、軸３を介して右枠２の上に重ねればゴミ袋１２の口も連動するので閉じた状態となる。この状態で取っ手６を持ち上げてゴミを入れれば蓋付ゴミ入れとして使用できる。又、左枠１、右枠２は支柱７のみで支えられているので装着したゴミ袋１２の容量分のゴミが収容でき、ゴミ袋の材質を透明又は半透明にすれば内容物の確認が容易となるので安全性も高くなる。ゴミ袋１２の取り出しは左枠１、右枠２のクリップ４を外してゴミ袋１２を前に引き出すだけでよい。図５は２台の簡便ゴミ袋スタンドを連接した平面図、図６は正面図である。左枠１、右枠２を重ねれば台車枠８は他の台車枠８に途中まではまり重ねられるので、複数の連接が可能で、未使用時の保管、移送等が容易となる。
【０００７】
【発明の効果】
以上、本発明は、ゴミ袋が簡単に着脱と開閉ができると共に、ゴミ袋周囲に壁がないので有効な使用と、袋を透明又は半透明にすれば内容物の確認が容易であり安全性が高く、キャスター付の為ゴミを入れた状態で移動させることができる。又、イベント会場等の簡易ゴミ入れとして使用すれば、従来の段ボールとは違い繰り返して使用ができ、実用性、機能性、デザイン性等多くの点で効果が大きい。更に、スーパー等での買物カートと同様に重ねておくことができるので未使用時の保管スペースが少なくてすみ、移送もしやすい。
【図面の簡単な説明】
【図１】簡便ゴミ袋スタンドの開いた状態の平面図である。
【図２】簡便ゴミ袋スタンドの開いた状態の正面図である。
【図３】簡便ゴミ袋スタンドの閉じた状態の平面図である。
【図４】簡便ゴミ袋スタンドの閉じた状態の正面図である。
【図５】２台の簡便ゴミ袋スタンドを連接した平面図である。
【図６】２台の簡便ゴミ袋スタンドを連接した正面図である。
【符号の説明】
１  左枠
右枠
軸
クリップ
鎖
取っ手
支柱
台車枠
補強枠
袋受け
キャスター
ゴミ袋
【図１】
2005015153.tif 000003
【図２】
2005015153.tif 000004
【図３】
2005015153.tif 000005
【図４】
2005015153.tif 000006
【図５】
2005015153.tif 000007
【図６】
2005015153.tif 000008
【手続補正書】
【提出日】平成15年6月26日(2003.6.26)
【手続補正１】
【補正対象書類名】明細書
【補正対象項目名】符号の説明
【補正方法】変更
【補正の内容】
【符号の説明】
１  左枠
２  右枠
３  軸
４  クリップ
５  鎖
６  取っ手
７  支柱
８  台車枠
９  補強枠
１０  袋受け
１１  キャスター
１２  ゴミ袋
(57)【要約】【課題】現場での組み立てが簡単に行え、かつ見栄えのよいエスカレータ等の欄干を提供することを目的とする。【解決手段】踏面の両側に隙間を隔てて立設されたスカートパネルと、該スカートパネルを反踏面側で支持する梁と、該スカートパネルの上部に位置し、該スカートパネルの上端部を覆うように内デッキが配置された欄干において、内デッキの内側端部には、該スカートパネルの上端を挟むクリップを外方に突出するように備え、該突出部にはスカートパネルを固定する長穴を備えているものである。【選択図】        図１
2005015172.tif 000002
【特許請求の範囲】
【請求項１】
踏面の両側に隙間を隔てて立設されたスカートパネルと、該スカートパネルを反踏面側で支持する梁と、該スカートパネルの上部に位置し、該スカートパネルの上端部を覆うように内デッキが配置された欄干において、
前記内デッキの内側端部には、該スカートパネルの上端を挟むクリップを外方に突出するように備え、該突出部にはスカートパネルを固定する穴を備えていることを特徴とするエスカレータ等の欄干。
【請求項２】
前記穴は、長手方向の長穴であることを特徴とする請求項１に記載のエスカレータ等の欄干。
【請求項３】
前記クリップには、隣接する内デッキどうしを係合するプレート挿入用の切り欠きが設けられていることを特徴とする請求項１に記載のエスカレータ等の欄干。
【請求項４】
前記内デッキの中央部にも第２のクリップが設けられていることを特徴とする請求項１又は請求項２又は請求項３に記載のエスカレータ等の欄干。
【発明の詳細な説明】
【０００１】
【発明の属する技術分野】
本発明は、エスカレータ或いは動く歩道など（以下、エスカレータ等と称す）の欄干に関し、特に踏板或いは踏みベルト両側の内デッキの取付け構造の改良に関するものである。
【０００２】
【従来の技術】
一般に、エスカレータは図３に示すように乗客が乗る踏段１の両側に欄干２を有し、その欄干２は主に踏段１の両側に乗客の足が挟まれないような隙間を隔てて配置されたスカートパネル３と、欄干パネル５と、この欄干パネル５の外周縁をガイドレール６に案内されて移動するハンドレール７とから構成されている。そして、内デッキ４はエスカレータの長手方向に所定の長さ毎に複数個連結して構成されている。
【０００３】
ここで、図４に従来の内デッキ４の取付け構造を示す。（例えば、特許文献１参照）
【０００４】
【特許文献１】
実開昭６１−３４５６９号
【０００５】
即ち、スカートパネル３をビス８で梁９に固定して後、スプリングアクションを持ったＬ形ブラケット１０を有する内デッキ４を上からはめ込み、梁９の切り欠き９ａにビス１１を差し込んで締め付けるものである。
【０００６】
【発明が解決しようとする課題】
しかし、このような装置では、スカートパネル取付用の梁９にわざわざ切り欠きを設けなければならず、ビス１１の頭が剥き出しになるため、見栄えが悪いだけでなく、乗客の衣服を引っ掛けたりする虞があり安全上問題があった。又、このビス１１が徐々に緩んでくる虞もあった。
【０００７】
本発明は、上記の点に鑑みなされたもので、現場での組み立てが簡単に行え、かつ見栄えのよいエスカレータ等の欄干を提供することを目的とするものである。
【０００８】
【課題を解決するための手段】
本発明は、踏面の両側に隙間を隔てて立設されたスカートパネルと、該スカートパネルを反踏面側で支持する梁と、該スカートパネルの上部に位置し、該スカートパネルの上端部を覆うように内デッキが配置された欄干において、内デッキの内側端部には、該スカートパネルの上端を挟むクリップを隣接する内デッキの方向（外方）に突出するように備え、該突出部にはスカートパネルをねじ等で固定する穴を備えているものである。
【０００９】
【発明の実施の形態】
本発明は、隣接する内デッキ相互の目隠し部分を利用して、スカートパネルの取付けを行い、見栄えのよい欄干を構成するものである。
【００１０】
【実施例】
以下、本発明の一実施例について、図面を用いて説明する。図１は本発明の一実施例を示す全体斜視図、図２は本発明に係る欄干の縦断面図である。
【００１１】
図中、図３及び図４と同一符号のものは同一のものを示すが、２２はトラス（図示しない）に取付けられている梁で、この梁２２にはスカートパネル３の下部（踏段１により外部からは見えない）がボルト締めされている。２３は欄干パネル５の支持装置（図示しない）に固定された周囲に溝２３ａを有する樹脂、３１は本発明に係る内デッキ３０の内側端部に設けられたクリップで、隣接する内デッキの方向に突出するように、たとえば接着剤により取付けられており、この突出部には長穴３１ａと切り欠き３１ｂを備えている。
【００１２】
３２は内デッキ３０の内側中央部分に複数個設けられた第２のクリップで、これらのクリップ３１，３２は何れも内デッキ３０の内面との間にスカートパネル３の上部を覆うように挟み込む構造をしている。３３は内デッキ３０の内側端部に設けられたプレートで、隣接する内デッキ３１の切り欠き３１ｂと係合するように配置され、隣接する内デッキ３０どうしの目地合わせと上方への安易な取り外れを防止する機能を兼ねている。このクリップ３１の長穴３１ａについては、ビス３４によりスカートパネル３の穴（図示しない）を通じてクリップ３１とスカートパネル３とが結合される構成になっている。
【００１３】
即ち、スカートパネル３については梁２２により下部が固定されているが、内デッキ３０の一端（反クリップ側）を樹脂２３の溝２３ａに差し込んで後、クリップ３１，３２をスカートパネル３の上部にはめ込み、次にビス３４によりスカートパネル３とクリップ３１とをねじ止めしてから、このねじ止め部分を覆うように、隣接する内デッキ３０を順次スカートパネル上に覆い被せて同様に取付けていく。
【００１４】
このように構成すれば、内デッキやスカートパネルを取付けるねじの頭は全く見えないため、見栄えもよく乗客の衣服が引っかかる虞もない。又、内デッキの取付け取り外しが極めて簡単に行うことができる。尚、取付け用の長穴については、クリップ側ではなく、スカートパネル側に設けるようにしてもかまわない。
【００１５】
【発明の効果】
以上説明したように本発明によれば、内デッキの内側にスカートパネルの上方を覆うクリップを外方に突出するように設けるだけで、作業性がよく、かつ意匠性に優れたエスカレータ等の欄干を得ることができる。
【図面の簡単な説明】
【図１】本発明の一実施例を示す全体斜視図である。
【図２】本発明に係る欄干の縦断面図である。
【図３】エスカレータの欄干の正面図である。
【図４】従来のエスカレータの欄干詳細図である。
【符号の説明】
１  エスカレータの踏段
２  エスカレータの欄干
３  スカートパネル
４，３０  内デッキ
９，２２  梁
３１，３２  クリップ
３１ａ  クリップの長穴
【図１】
2005015172.tif 000003
【図２】
2005015172.tif 000004
【図３】
2005015172.tif 000005
【図４】
2005015172.tif 000006
(57)【要約】【課題】本発明は、紙粉除去ブレードにより削ぎ取った紙粉の飛散や再付着等が無く、確実に回収容器に回収してレジストローラの清掃を行うことを課題とする。【解決手段】本発明は、給紙装置からの用紙を転写装置に搬送するレジストローラの表面に付着した紙粉を除去するクリーニング装置を備え、該クリーニング装置は前記レジストローラに接触して紙粉を除去する紙粉除去ブレードを有した画像形成装置システムのレジストローラ清掃装置において、前記ブレードにより削ぎ落とされた紙粉を吸引ブロワで吸引し、回収容器に回収する紙粉回収装置を設けたことを特徴とする。【選択図】  図１
2005015196.tif 000002
【特許請求の範囲】
【請求項１】
給紙装置からの用紙を転写装置に搬送するレジストローラの表面に付着した紙粉を除去するクリーニング装置を備え、該クリーニング装置は前記レジストローラに接触して紙粉を除去する紙粉除去ブレードを有した画像形成装置システムのレジストローラ清掃装置において、前記ブレードにより削ぎ落とされた紙粉を吸引ブロワで吸引し、回収容器に回収する紙粉回収装置を設けたことを特徴とする画像形成装置システムのレジストローラ清掃装置。
【請求項２】
前記吸引ブロワは、感光体ドラムのクリーニング装置の吸引ブロワであることを特徴とする請求項１記載の画像形成装置システムのレジストローラ清掃装置。
【請求項３】
前記回収容器は、感光体ドラムのクリーニング装置の回収容器であることを特徴とする請求項１に記載の画像形成装置システムのレジストローラ清掃装置。
【発明の詳細な説明】
【０００１】
【発明の属する技術分野】
本発明は、画像形成装置システムに用いられる給紙装置からの用紙を転写装置に搬送するレジストローラ清掃装置に関するものである。
【０００２】
【従来の技術】
画像形成装置システムに関して、給紙装置から搬送されてきた用紙の先端部を揃え、転写装置に搬送する装置において、一対からなるレジストローラが使用される。レジストローラは、用紙と直接接触するため、ローラ表面には紙粉が付着し易い。紙粉は、ローラの摩擦係数を下げ搬送力の低下を生じさせ、搬送タイミングのズレによる画質低下や、用紙詰まりの原因となる。また、レジストローラは、感光体ドラム間近にあるため、レジストローラから用紙に付着した紙粉が感光体ドラム上に移り、画像抜け等の印刷画質低下の原因となる。
【０００３】
このため、レジストローラの表面に付着した紙粉を除去する清掃装置がいくつか提案されている。清掃装置には、紙粉除去ブレードをレジストローラに接触させ、レジストローラ回転時にローラに付着した紙粉を削ぎ取る方式があり、削ぎ取った紙粉を着脱可能な回収容器に回収し、保守作業を容易化した技術が開示されている（例えば、特許文献１参照。）
【特許文献１】
特開平１０−１２９８７４号公報
【０００４】
【発明が解決しようとする課題】
従来の方式では、レジストローラから削ぎ取られた紙粉除去ブレード上の紙粉は自重により紙粉除去ブレード上を滑って下流部に設けられた回収容器に入る構成のため、回収容器に入る前に紙粉が飛散して感光体ドラム上に移る場合や、紙粉発生量が多い再生紙等を搬送する際に、短時間に紙粉が紙粉除去ブレード上に溜まり、あふれて、回収容器に回収されること無くローラ表面への再付着、感光体ドラム上への移動が発生する場合がある。
【０００５】
本発明の目的は、紙粉除去ブレードにより削ぎ取った紙粉の飛散や再付着等が無く、確実に回収容器に回収してレジストローラの清掃を行うことである。
【０００６】
本発明の他の目的は、紙粉回収のための保守作業を低減をはかることである。
【０００７】
【課題を解決するための手段】
上記の目的は、ブレードにより削ぎ落とされた紙粉を吸引ブロワで吸引し、回収容器に回収する紙粉回収装置を設けることにより達成される。
【０００８】
【発明の実施の形態】
以下本発明を、レーザプリンタへの一実施例により図面を用いて説明する。
【０００９】
図１において、給紙装置１から搬送されて来た用紙２は、搬送ローラ１７の回転によりペーパガイド３、４により形成された用紙搬送経路に送られ、用紙２の先端がレジスト駆動ローラ５と、レジスト従動ローラ６のニップ点に突き当たり、突き当たった後も搬送ローラ１７が一定時間回転を継続するため、用紙先端が揃い、用紙２の斜行が矯正される。その後、用紙２は、感光体ドラム７とのタイミングを取りながら転写装置１８に搬送される。用紙が繰り返し搬送されるため、レジスト従動ローラ６の表面には、用紙から発生した紙粉８が付着する。
【００１０】
図２において、紙粉除去ブレード９が、その先端部１０がレジスト従動ローラ６の表面に接触する様に設けられ、レジスト従動ローラ６が回転する際に表面に付着した紙粉８を削ぎ取る。削ぎ取られた紙粉８は、吸引ダクト１９を通り、紙粉除去ブレード９の側面に設けられた吸引口１４から吸引される。
【００１１】
図１において、クリーニングブラシ１１にて感光体ドラム７の転写後の残留トナーが除去され、吸引ブロワ１５により吸引される。吸引されたトナーは、ダクトＡ１２を通り、サイクロンフィルタ２０によりトナー回収容器１６に回収される。吸引口１４は、ダクトＢ１３によって、ダクトＡ１２と接続されており、吸引口１４から吸引された紙粉８も、サイクロンフィルタ２０によりトナー回収容器１６に回収される。ブロワ１５は、印刷時に可動し続け、用紙通過前後も吸引しているため、紙粉をより確実に回収することが可能となる。
【００１２】
トナー回収容器１６は、着脱が可能で、容易に交換できる。既存のトナー回収容器を利用し紙粉の回収が可能となるため、紙粉回収用に特別な作業を必要とせず、保守作業の低減が可能となる。
【００１３】
【発明の効果】
本発明によれば、確実にレジストローラの清掃を行い、紙粉の再付着、飛散発生を無くすることができる。また、既存のトナー回収容器と兼用することにより、新たな容器や吸引ブロワを設けなくて済み、回収容器の交換も容易となる。
【図面の簡単な説明】
【図１】本発明のレジストローラ清掃装置の一実施例を示す構造図である。
【図２】本発明のレジストローラ清掃装置の紙粉除去ブレード部詳細図である。
【符号の説明】
１は給紙装置、２は用紙、３はペーパガイド、４はペーパガイド、５はレジスト駆動ローラ、６はレジスト従動ローラ、７は感光体ドラム、８は紙粉、９は紙粉除去ブレード、１０は先端部、１１はクリーニングブラシ、１２はダクトＡ、１３はダクトＢ、１４は吸引口、１５は吸引ブロワ、１６はトナー回収容器、１７は搬送ローラ、１８は転写装置、１９は吸引ダクト、２０はサイクロンフィルタである。
【図１】
2005015196.tif 000003
【図２】
2005015196.tif 000004